(57)【要約】【課題】霜や曇りの除去においてより利便性の高い加熱電極装置を提供する。【解決手段】通電してパネルを加熱する加熱電極装置であって、線条である複数の発熱導体、を備え、発熱導体は、少なくともひとつの発熱導体において、その一部で単位長さ当たりの抵抗値が他の部位よりも相対的に高い。【選択図】図４
2017212031.tif 000002
【特許請求の範囲】
【請求項１】
通電してパネルを加熱する加熱電極装置であって、
線条のある複数の発熱導体、を備え、
前記発熱導体は、少なくともひとつの前記発熱導体において、その一部で単位長さ当たりの抵抗値が他の部位よりも相対的に高い、加熱電極装置。
【請求項２】
複数の前記発熱導体のピッチをＰとし、前記発熱導体の厚さ方向の一方の面の平面視における長さ０．０１ｍあたりの表面積をＳＢ、当該一方の面の反対側となる他方の面の平面視における長さ０．０１ｍあたりの表面積をＳＴとしたとき、
０．５ｍｍ≦Ｐ≦５．００ｍｍ
０μｍ２＜ＳＢ−ＳＴ≦３００００μｍ２
である、請求項１に記載の加熱電極装置。
【請求項３】
前記発熱導体は、その延びる方向に直交する断面において、前記ＳＢ側の辺の大きさをＷＢとし、前記ＳＴ側の辺の大きさをＷＴとしたとき、
ＷＢ＞ＷＴ、
３μｍ≦ＷＢ≦１５μｍ、及び
１μｍ≦ＷＴ≦１２μｍ、である請求項２に記載の加熱電極装置。
【請求項４】
透明な基材層を有し、
前記発熱導体は、前記基材層の一方の面上に配置されており、前記発熱導体の前記一方の面が前記基材層の面に接している、請求項１乃至３のいずれかに記載の加熱電極装置。
【請求項５】
透明な第一パネルと、
前記第一パネルに対して間隔を有して配置される透明な第二パネルと、
前記第一パネルと前記第二パネルとの前記間隔に配置される請求項１乃至４のいずれかに記載の加熱電極装置と、を備える、通電加熱パネル。
【発明の詳細な説明】
【技術分野】
【０００１】
本発明は、通電することでジュール熱（Ｊｏｕｌｅ  ｈｅａｔ）により発熱する発熱導体を備える加熱電極装置、及びこれを用いた通電加熱パネルに関する。
【背景技術】
【０００２】
従来、特許文献１〜３に記載のように、自動車、鉄道、航空機、及び船舶等の乗り物のガラス窓、並びに、建物のガラス窓に対して、通電することにより加熱し、ガラス窓の凍結や曇りを解消する技術がある。このようなガラス窓は、２枚のガラス板の間に加熱電極装置を具備して構成されている。そして当該加熱電極装置は、離隔して配置された一対のバスバー電極、及び、この一対のバスバー電極間を渡すように配置された複数の線条の発熱導体を有しており、一対のバスバー電極に電源を接続することで発熱導体に通電可能とされ、発熱導体を発熱させてガラス窓を加熱できるように構成されている。
【先行技術文献】
【特許文献】
【０００３】
【特許文献１】特開平８−７２６７４号公報
【特許文献２】特開平９−２０７７１８号公報
【特許文献３】特開２０１３−５６８１１号公報
【発明の概要】
【発明が解決しようとする課題】
【０００４】
そこで本発明は、霜や曇りの除去においてより利便性の高い加熱電極装置を提供することを課題とする。またこの加熱電極装置を有する通電加熱パネルを提供する。
【課題を解決するための手段】
【０００５】
以下本発明について説明する。ここでは理解容易のため図面の参照符号を付記するが、本発明はこれに限定されるものではない。
【０００６】
請求項１に記載の発明は、通電してパネルを加熱する加熱電極装置（２０）であって、線条である複数の発熱導体（２２）、を備え、発熱導体は、少なくともひとつの発熱導体（２２ｂ）において、その一部で単位長さ当たりの抵抗値が他の部位よりも相対的に高い、加熱電極装置である。
【０００７】
請求項２に記載の発明は、請求項１に記載の加熱電極装置（２０）において、複数の発熱導体（２２）のピッチをＰとし、発熱導体の厚さ方向の一方の面の平面視における長さ０．０１ｍあたりの表面積をＳＢ、当該一方の面の反対側となる他方の面の平面視における長さ０．０１ｍあたりの表面積をＳＴとしたとき、
０．５ｍｍ≦Ｐ≦５．００ｍｍ
０μｍ２＜ＳＢ−ＳＴ≦３００００μｍ２
である。
【０００８】
請求項３に記載の発明は、請求項２に記載の加熱電極装置（２０）において、発熱導体（２２）は、その延びる方向に直交する断面において、ＳＢ側の辺の大きさをＷＢとし、ＳＴ側の辺の大きさをＷＴとしたとき、
ＷＢ＞ＷＴ、
３μｍ≦ＷＢ≦１５μｍ、及び
１μｍ≦ＷＴ≦１２μｍ、である。
【０００９】
請求項４に記載の発明は、請求項１乃至３のいずれかに記載の加熱電極装置（２０）において、透明な基材層（２４）を有し、発熱導体（２２）は、基材層の一方の面上に配置されており、発熱導体の一方の面が基材層の面に接している。
【００１０】
請求項５に記載の発明は、透明な第一パネル（１１）と、第一パネルに対して間隔を有して配置される透明な第二パネル（１５）と、第一パネルと第二パネルとの間隔に配置される請求項１乃至４のいずれかに記載の加熱電極装置（２０）と、を備える、通電加熱パネル（１０）である。
【発明の効果】
【００１１】
本発明によれば、加熱電極装置、及びこれを用いた通電加熱パネルにおいて、所望の部位の霜や曇りを他の部位に比べて早く進めることができ、利便性を高めることができる。
【図面の簡単な説明】
【００１２】
【図１】図１（ａ）は１つの形態に係る通電加熱パネル１０を説明する平面図、図１（ｂ）は発熱導体２２の１つの例である発熱導体２２Ｌの拡大図、図１（ｃ）は発熱導体２２の他の例である発熱導体２２Ｍの拡大図である。
【図２】通電加熱パネル１０の層構成を説明する断面図である。
【図３】加熱電極装置２０を説明する斜視図である。
【図４】図４（ａ）は発熱導体２２ａを説明する図、図４（ｂ）は発熱導体２２ｂを説明する図である。
【図５】発熱導体２２の断面の形態について説明する図である。
【図６】図６（ａ）〜図６（ｄ）は、通電加熱パネル１０の作製方法を説明する図である。
【発明を実施するための形態】
【００１３】
本発明の上記した作用及び利得は、次に説明する形態から明らかにされる。以下本発明を図面に示す形態に基づき説明する。ただし、本発明はこれら形態に限定されるものではない。なお、図面に表れる各部材は理解し易さの観点から大きさや形状を誇張、変形して表すことがある。
【００１４】
図１（ａ）は１つの形態を説明する図で、通電加熱パネル１０を平面視した概念図である。また、図１（ｂ）には図１（ａ）にＩａで示した部位の拡大図で、発熱導体２２の１つの例である発熱導体２２Ｌの拡大図を示した。図１（ｃ）には図１（ａ）にＩａで示した部位の拡大図で、発熱導体２２の他の例である発熱導体２２Ｍの拡大図を示した。
図２は図１に示したＩＩ−ＩＩ線による断面図であり、通電加熱パネル１０の厚さ方向における層構成を説明する図である。
このような通電加熱パネル１０は例えば自動車のフロントガラスとして自動車に備えられる。その他、いわゆるガラス窓を有するところに窓として用いることができ、これには例えば上記自動車をはじめ、鉄道、航空機、及び船舶等の乗り物の窓、並びに、建物の窓を挙げることができる。
【００１５】
図１、図２からわかるように、通電加熱パネル１０は全体として板状であり、複数の層が厚さ方向（図１、図２に示したＺ軸方向）に積層してなる。より具体的には、本形態の通電加熱パネル１０は、図２の断面図に示す如く第一パネル１１、接着層１２、加熱電極装置２０、接着層１４、第二パネル１５を有して構成されている。以下、それぞれについて説明する。
【００１６】
第一パネル１１、及び第二パネル１５は、透光性を有する、即ち透明な板状の部材であり、互いに向かい合うように配置された板面間に間隔を有して略平行に配置されている。いわゆる二重パネル構造である。尚、此処で板面とは、図２で言えば、第一パネル１１及び第二パネル１５の表面のうちＸＹ平面に平行な対向する２平面になる。この第一パネル１１と第二パネル１５との間に、加熱電極装置２０の一部が配置され、接着層１２、１４により一体化されている。
第一パネル１１及び第二パネル１５は板ガラスにより構成することができる。これには、当該通電加熱パネル１０が適用される設備（例えば乗り物や建物）が通常に有する窓に用いられる板ガラスと同じものを用いることができる。例えばソーダライム硝子（青板硝子）、硼珪酸硝子（白板硝子）、石英硝子、ソーダ硝子、カリ硝子等から成る普通板ガラス、フロート板ガラス、強化板ガラス、部分板ガラス等が挙げられる。また、必要に応じて３次元的に曲面状に湾曲部を有するものであってもよい。
ただし必ずしもガラス板である必要はなく、アクリル樹脂、ポリカーボネート樹脂等の樹脂から成る樹脂板であってもよい。ただし、耐候性、耐熱性、透明性等の観点から板ガラスであることが好ましい。
これら第一パネル１１及び第二パネル１５の厚さは特に限定されることはないが、１．５ｍｍ以上５ｍｍ以下であることが一般的である。
【００１７】
接着層１２は第一パネル１１のうち第二パネル１５側となる面に積層された接着剤からなる層であり、基材層２４と第一パネル１１とを接着する。接着剤としては特に限定されることはないが、接着性、耐候性、耐熱性等の観点からポリビニルブチラール樹脂を用いることができる。
接着層１２の厚さは特に限定されることはないが、０．２ｍｍ以上１．０ｍｍ以下であることが一般的である。
【００１８】
加熱電極装置２０は、通電することによって発熱し、通電加熱パネル１０を加熱するよう構成されている。図３には加熱電極装置２０の一部を斜視図で表している。
図１〜図３よりわかるように本形態では加熱電極装置２０は、バスバー電極２１、発熱導体２２、電源接続配線２３、及び基材層２４を有している。便宜上ここでは基材層２４を最初に説明する。
【００１９】
基材層２４は、加熱電極装置２０の、特にバスバー電極２１及び発熱導体２２がその一方の面上に配置されて、該バスバー電極２１及び発熱導体２２の基材として機能する層である。基材層２４は透明な板状の部材であり、樹脂により形成されている。基材層２４を形成する樹脂としては可視光線波長帯域の波長（３８０ｎｍ〜７８０ｎｍ）を透過するものであれば如何なる樹脂でも良いが、好ましくは熱可塑性樹脂を用いることができる。この熱可塑性樹脂としては、例えばポリエチレンテレフタレート、ポリエチレンナフタレート、アモルファスポリエチレンテレフタレート（Ａ−ＰＥＴ）等のポリエステル樹脂、ポリエチレン、ポリプロピレン、ポリメチルペンテン、環状ポリオレフィン等のポリオレフィン樹脂、ポリメチルメタクリレート等のアクリル樹脂、トリアセチルセルロース（三酢酸セルロース）等のセルロース系樹脂、ポリカーボネート樹脂、ポリスチレン、アクリロニトリル−スチレン共重合体等のスチレン系樹脂、ポリ塩化ビニル、等を挙げることが出来る。とりわけ、アクリル樹脂やポリ塩化ビニルは、エッチング耐性、耐候性、耐光性に優れていることから好ましい。基材層２４の厚さとしては、２０μｍ以上３００μｍ以下が一般的である。基材層２４を構成する樹脂層は必要に応じて１軸又は２軸延伸したものを用いる。
【００２０】
本形態でバスバー電極２１は、第一バスバー電極２１ａ及び第二バスバー電極２１ｂから形成されている。第一バスバー電極２１ａ、第二バスバー電極２１ｂはそれぞれ一方向（図１においてはＸ軸方向）に延びる帯状であり、第一バスバー電極２１ａと第二バスバー電極２１ｂとは間隔を有して同じ方向に延びる（略平行となる）ように配置されている。
このような第一バスバー電極２１ａ及び第二バスバー電極２１ｂは公知の形態を適用することができ、帯状である当該電極の幅は３ｍｍ以上１５ｍｍ以下が一般的である。
【００２１】
発熱導体２２は、第一バスバー電極２１ａと第二バスバー電極２１ｂとを渡すように両バスバー電極２１ａ、２１ｂと交差する方向（図１においてはＹ軸方向）に延在して配置される。そして、第一バスバー電極２１ａと第二バスバー電極２１ｂとが当該発熱導体２２により電気的に接続されている。この発熱導体２２が通電により発熱する。
このような発熱導体２２が、第一バスバー電極２１ａ及び第二バスバー電極２１ｂの長手方向（図１においてはＸ軸方向）に複数配列されている。
【００２２】
本発明では、少なくとも２種類、必要に応じてそれ以上の種類の発熱導体が設けられている。ここではその一つの形態として２種類の発熱導体２２ａ、２２ｂが設けられた例について説明する。図１からわかるように、本形態では複数の発熱導体２２は、複数の発熱導体２２ａ及び複数の発熱導体２２ｂを有して構成されている。図４（ａ）、図４（ｂ）には発熱導体２２ａと発熱導体２２ｂとの違いを説明する図を示した。図４（ａ）が発熱導体２２ａ、図４（ｂ）が発熱導体２２ｂをそれぞれ表している。
【００２３】
発熱導体２２ａは、２つのバスバー電極２１ａ、２１ｂの間で、単位長さ当たりの抵抗値がｒ（Ω／ｍ）とされて均一であり、長さをＬ（ｍ）とすれば、その合計の抵抗値がｒ・Ｌ＝Ｒ（Ω）とされている。
【００２４】
一方、発熱導体２２ｂは、２つのバスバー電極２１ａ、２１ｂの間で、単位長さ当たりの抵抗値が変えられている。すなわち図４（ｂ）からわかるようにバスバー電極２１ａ側からバスバー電極２１ｂ側に向けて、単位長さ当たりの抵抗値がｒ１（Ω／ｍ）、ｒ２（Ω／ｍ）、ｒ３（Ω／ｍ）と３つの区間で抵抗値が異なる。そしてそれぞれの長さがＬ１（ｍ）、Ｌ２（ｍ）、Ｌ３（ｍ）なので、各区間における抵抗値はｒ１・Ｌ１＝Ｒ１（Ω）、ｒ２・Ｌ２＝Ｒ２（Ω）、ｒ３・Ｌ３＝Ｒ３（Ω）となる。
【００２５】
そして本発明では、霜や曇りを速く除去することが望まれる区間２２ｃに対して、単位長さ当たりの抵抗値を他の区間に比べて大きくする。本形態では単位長さ当たりの抵抗値ｒ２（Ω／ｍ）が、他の抵抗値ｒ１（Ω／ｍ）、ｒ３（Ω／ｍ）よりも高くされている。すなわち、
ｒ２＞ｒ１、ｒ３
である。これにより、当該抵抗値が大きい部位において発熱量が他の部位に比べて大きくなり、より速く霜や曇りを除去することができる。
【００２６】
ここで、Ｒ１、Ｒ２及びＲ３の合計の抵抗値はＲと同じとなることが好ましい。これにより、効果的に望まれる区間２２ｃの霜や曇りを除去することができる。また加熱電極装置全体としての性能のバランスを良好に保つこともできる。
【００２７】
本形態では図１（ａ）からわかるようにＩｃで示した範囲で発熱導体２２ｂが適用されている。そしてこれにより図１（ａ）にＩｄで示した領域において上記ｒ２の抵抗とされており、区間２２ｃとなるのでここでは発熱量が高められていることから霜や曇りが速く除去される。
【００２８】
このような領域の位置は必要に応じて設定することができる。これには例えば車両の運転席の正面部位を挙げることができる。これによれば、運転者の視界を速く確保することができ、運転を早く始めることが可能となる。
そして、このような領域を形成する部位は１か所である必要はなく、必要に応じて複数設けてもよい。
【００２９】
また、区間２２ｃを形成するための、単位長さ当たりの抵抗値を他に比べて大きくするための具体的手段は特に限定されることはないが、例えば当該区間２２ｃで線条を細くしたり、長さを長くしたり、材料を変更したりする方法を挙げることができる。後述するようにエッチングで発熱導体を形成する際には、材料の変更は難しいので、線条を細くしたり、波のピッチを細かくして長くしたりすることが好ましい。
【００３０】
さらに発熱導体２２ａ、２２ｂは、断面において次のような形状を具備していることが好ましい。図５には図２にＶで示した部位を拡大した図を示した。
発熱導体２２ａ、２２ｂは、加熱電極装置２０の厚さ方向において、発熱導体２２ａ、２２ｂの一方側（本形態では基材層２４）の面を平面視した長さ０．０１ｍあたりの表面積をＳＢ、その反対側の面を平面視した長さ０．０１ｍあたりの表面積ＳＴとしたとき、
０μｍ２＜ＳＢ−ＳＴ≦３００００μｍ２
が成立する。ここで「長さ」とは、延びる発熱導体２２の一端と他端との距離をいう。より好ましくは、
０μｍ２＜ＳＢ−ＳＴ≦１５０００μｍ２
である。
これによれば、発熱導体２２ａ、２２ｂを視認されない幅で作製した際に、断面積を大きくとることができ、高い出力を得ることが可能である。矩形（長方形）を作製することができれば理想ではあるが、エッチングにより作製することはいわゆるサイドエッジの性質上の観点から困難がある。
【００３１】
上記範囲を満たしつつ、その他の部位において次のように構成することがさらに好ましい。図５に説明のための符号を付している。
図５にＢで示した、隣り合う発熱導体２２ａ、２２ｂの間隔Ｂは、０．５ｍｍ以上５．００ｍｍ以下であることが好ましい。より好ましくは１．０ｍｍ以上、さらに好ましくは１．２５ｍｍ以上である。
また、当該断面において、上記ＳＢ側における辺の長さ（幅）をＷＢ、及びその反対側であるＳＴ側におけるの辺の長さ（幅）をＷＴとしたとき、
ＷＢ＞ＷＴ、
３μｍ≦ＷＢ≦１５μｍ、及び
１μｍ≦ＷT≦１２μｍ
が成り立つことが好ましい。
なお、この断面は、その部位において最小断面になるように切断された面とする。また、発熱導体２２の表面に凹凸が形成されている場合には当該凹凸を含めた最小面積の断面を考えるものとする。
また、発熱導体２２ａ、２２ｂの厚さＨは、５μｍ以上、３０μｍ以下であることが好ましい。
【００３２】
また、発熱導体２２ａ、２２ｂは、隣り合う発熱導体２２ａ、２２ｂとのピッチＰは、０．５ｍｍ以上、５．００ｍｍ以下とされることが好ましい。ピッチＰを０．５ｍｍより小さくすると複数の発熱導体２２ａ、２２ｂが密に配置されて視認されやすくなる。好ましくは１．０ｍｍ以上、より好ましくは１．２５ｍｍ以上である。一方、ピッチＰが５．００ｍｍより大きいと均一な加熱性能が低下する虞がある。
【００３３】
発熱導体２２ａ、２２ｂを構成する導体材料としては例えばタングステン、モリブデン、ニッケル、クロム、銅、銀、白金、アルミニウム等の金属、或いはこれら金属を含むニッケル−クロム合金、青銅、真鍮等の合金をエッチングによりパターン形成してなす帯状部材を挙げることができる。
【００３４】
本形態では発熱導体２２ａ、２２ｂは、図１（ｂ）に於いて示した発熱導体２２の拡大図示のうちの符号２２Ｌで図示の如く、線条からなり平行直線群状に構成されているが、この他、図１（ｃ）に於いて示した発熱導体２２の拡大図示のうち符号２２Ｍのように帯状からなり波線状に形成されていてもよい。
【００３５】
電源接続配線２３は、図１（ａ）からわかるように、第一バスバー電極２１ａと第二バスバー電極２１ｂ間に電源４０を接続する配線である。電源４０は、水滴（曇り）、凍結（霜）等を溶解或いは蒸発させるに必要な電力を供給可能なものであれば特に限定されることはなく、適宜の電圧、電流、或いは周波数を有する公知の直流又は交流電源を用いれば良いが、通電加熱パネル１０が自動車に適用される場合には、電源４０として例えば自動車に既設の鉛蓄電池、リチウムイオン蓄電池等のバッテリーを直流電源として用いることができる。このときには例えばバッテリーの正極に第二バスバー電極２１ｂ、負極に第一バスバー電極２１ａを接続することができる。勿論、別途専用の電源（電池、発電機等）を用いても良い。又、電動機を動力とする鉄道車両の場合は架線から給電された直流又は交流電力を適宜の電圧及び電流に変換して用いることも出来る。
このような電源接続配線２３は公知の構成を適用すればよい。
【００３６】
接着層１４は、バスバー電極２１及び発熱導体２２を含む基材層２４と第二パネル１５とを接着する層である。接着層１４は接着層１２と同じ構成とすることができる。
【００３７】
以上のような各構成により次のように通電加熱パネル１０とされている。図２からわかるように、第一パネル１１の一方の面に接着層１２が積層されておりこの接着層１２を介して第一パネル１１に基材層２４が積層されている。また、基材層２４のうち接着層１２が配置された側とは反対側の面には発熱導体２２が配置されている。加熱電極装置２０のうち基材層２４が配置された側とは反対側に第二パネルが１５が配置されているが、基材層２４及び発熱導体２２と第二パネル１５との間を埋めるように接着層１４が配置されている。これにより第二パネル１５が加熱電極装置２０に積層される。
【００３８】
このような加熱電極装置２０及びこれを含む通電加熱パネル１０は例えば次のように製造することができる。図６（ａ）〜図６（ｄ）に説明のための図を示した。
【００３９】
先ず、図６（ａ）に示したように、金属箔２２’を樹脂フィルムからなる基材層２４上に接着剤層を介して貼り合せ積層した積層体を製造する。
次いで、図６（ｂ）に示したように、該積層体の金属箔２２’上に感光性レジスト層８０を塗工形成する。
【００４０】
次いで、所望のパターン、例えば、図１（ｂ）に図示の如き帯状直線線条の平行配列パターンの発熱導体２２、バスバー電極２１ａ及び２１ｂからなる加熱電極裝置２０の平面視パターンに基づいた遮光パターンを有するフォトマスクを用意する。そして、該フォトマスクを該感光性レジスト層８０上に密着させて載置する。そして、該フォトマスクを通して紫外線露光し、フォトマスクを除去後、公知の現像処理により未露光の感光性レジスト層を溶解除去して、図６（ｃ）に示したように所望パターン８０ａに合致する形状のレジストパターン層８０’を該金属箔２２’上に形成する。
ここで図６（ｃ）には形成されるべき発熱導体２２の位置及び大きさを参考として破線及び薄墨で表している。図６（ｃ）からわかるように、本例では、レジストパターン層８０’に形成されたレジストパターン８０ａの縁から、形成されるべき発熱導体２２の縁までの距離がＣとなるように構成されている。そしてこのＣは５μｍ以上３０μｍ以下であることが好ましい。これにより上記した形態の発熱導体２２をエッチングにより得ることができる。
【００４１】
次いで、該レジストパターン層８０’上から該積層体を腐蝕液によるエッチング（腐蝕）加工を行い、図６（ｄ）のように、該レジストパターン層８０’金属箔２２’を腐蝕除去する。そして、該レジストパターン層を溶解除去（脱膜）する。斯くして、基材層２４上に図１（ａ）の平面視形状及び図２の断面形状の所定パターンの発熱導体２２、バスバー電極２１ａ及び２１ｂが形成された積層部材を製造する。
【００４２】
次いで、第一パネル１１、接着層１２、加熱電極裝置２０からなる積層部材、接着層１４、及び第二パネル１５を此の順に重ね、これら複数層を接着積層して一体化する。
以上の工程により、図１（ａ）の平面図及び図２の断面図に示す、通電加熱パネル１０を製造する。
【００４３】
以上説明した通電加熱パネル１０によれば、エッチングによっても断面形状が矩形に近い発熱導体を得ることができ、上底と下底との差が大きい台形断面である発熱導体に比べて、幅方向の大きさを小さく抑えつつも、厚さを大きくして断面積を大きくすることが可能となる。
【００４４】
通電加熱パネル１０は例えば次のように用いられて作用する。ここでは１つの例として通電加熱パネル１０を自動車のフロントパネルに適用した場合で説明する。
すなわち、図１の形態に於いては、通電加熱パネル１０が自動車のフロントパネルの位置に配置される、この際には電源接続配線２３に開閉器５０を介して電源４０が接続され、バスバー電極２１を介して発熱導体２２を発熱させることができる。本形態に於いては、電源４０としては自動車に既設のバッテリーを用いている。開閉器５０を閉じると、電源４０から電流が供給される。当該発熱導体２２はジュール熱の発熱により第一パネル１１、第二パネル１２が加熱されるのでフロントパネルとして機能する通電加熱パネル１０の温度が上昇し、凍結及び曇りが解消される。本発明では発熱導体２２ｂのうちＩｄで示した領域において上記したように抵抗値が高められており、この領域で霜や曇りを他に比べて速く除去することができる。
【符号の説明】
【００４５】
１０  通電加熱パネル
１１  第一パネル
１２  接着層
１４  接着層
１５  第二パネル
２０  加熱電極装置
２１  バスバー電極
２２  発熱導体
２２ａ  発熱導体
２２ｂ  発熱導体
２４  基材層
４０  電源
【図１】
2017212031.tif 000003
【図２】
2017212031.tif 000004
【図３】
2017212031.tif 000005
【図４】
2017212031.tif 000006
【図５】
2017212031.tif 000007
【図６】
2017212031.tif 000008